(57)【要約】【課題】光照射装置の反射鏡による光の取り出し効率を可及的に改善すると共に、反射鏡と光源との位置合わせ作業の作業性を可及的に改善する。【解決手段】直線状に延びる管形状の光源６と、前記光源６が周囲に放射した光を反射する反射鏡と、反射鏡を支持する反射鏡支持部材８ａ，８ｂと、前記光源６を支持する光源支持部材９ａ，９ｂとが備えられた光照射装置において、前記光源支持部材９ａ，９ｂが、前記反射鏡支持部材８ａ，８ｂに支持され、前記反射鏡支持部材８ａ，８ｂは、前記反射鏡を、前記光源６の長手方向の少なくとも両端部を含む、前記長手方向で互いに離間した複数箇所で支持するように複数個配置されている。【選択図】図１
2013008666.tif 000002
【特許請求の範囲】
【請求項１】
直線状に延びる管形状の光源と、前記光源が周囲に放射した光を反射する反射鏡と、反射鏡を支持する反射鏡支持部材と、前記光源を支持する光源支持部材とが備えられた光照射装置であって、
前記光源支持部材が、前記反射鏡支持部材に支持され、
前記反射鏡支持部材は、前記反射鏡を、前記光源の長手方向の少なくとも両端部を含む、前記長手方向で互いに離間した複数箇所で支持するように複数個配置されている光照射装置。
【請求項２】
前記反射鏡支持部材は、前記反射鏡を、前記光源の長手方向の両端部夫々において支持するように一対に備えられている請求項１記載の光照射装置。
【請求項３】
前記反射鏡は、前記光源の周方向の途中箇所で複数に分割されて構成され、
前記反射鏡支持部材の夫々は、分割された複数の反射鏡の端部を一括して支持するように構成されている請求項１又は２記載の光照射装置。
【請求項４】
前記光源は、長手方向の両端部の夫々に電極が備えられ、
前記光源支持部材は、前記電極の夫々を支持するように一対に備えられ、
一対の前記光源支持部材の夫々は、前記光源の中心に対して長手方向の同じ側に位置する前記反射鏡支持部材に位置決め支持されている請求項１〜３のいずれか１項に記載の光照射装置。
【請求項５】
前記反射鏡支持部材は、設定方向の各位置で同一断面形状を有する部材として構成されている請求項１〜４のいずれか１項に記載の光照射装置。
【請求項６】
前記反射鏡は、紫外線を反射し、少なくとも赤外線及び一部の波長域の可視光とを透過する強化ガラスで構成されている請求項１〜５のいずれか１項に記載の光照射装置。
【請求項７】
前記反射鏡支持部材は、回転不能に固定設置されている請求項１〜６のいずれか１項に記載の光照射装置。
【請求項８】
前記光源が、紫外線ランプである請求項１〜７のいずれか１項に記載の光照射装置。
【請求項９】
前記光源が、可視光ランプである請求項１〜７のいずれか１項に記載の光照射装置。
【発明の詳細な説明】
【技術分野】
【０００１】
本発明は、直線状に延びる管形状の光源と、前記光源が周囲に放射した光を反射する反射鏡と、反射鏡を支持する反射鏡支持部材と、前記光源を支持する光源支持部材とが備えられた光照射装置に関する。
【背景技術】
【０００２】
かかる光照射装置は、インクジェットプリント装置における塗布したインクの硬化乾燥処理や、半導体素子の処理工程，更には、各種の部材の洗浄工程等の多様な用途で用いられている。
かかる用途に用いた場合の光照射装置では、光源の１例として紫外線ランプを使用しており、紫外線ランプの出射紫外線を効率良く処理対象に照射するために、紫外線ランプに近接して反射鏡を配置して、紫外線ランプの出射紫外線をその反射鏡で反射させ、所望の方向に紫外線を集める構成をとることが多い。
紫外線ランプとして、直線状に延びる管形状の紫外線ランプを使用する場合では、一般に、例えば下記特許文献１にも記載のように、紫外線ランプの長手方向視において弧状の断面形状を有する反射鏡が使用される場合が多い。
この反射鏡の支持形態としては、下記特許文献１にも記載のように、紫外線ランプの長手方向の全長に亘って反射鏡の上端縁及び下端縁を保持具に嵌め込み、反射鏡の上端縁及び下端縁を保持具で挟み込むように取り囲んで保持するのが一般的である。
又、この反射鏡は、紫外線ランプの出射光を所望通りに集めるには、紫外線ランプとの相対的な位置関係を精度良く設定する必要がある。
従来、このような紫外線ランプと反射鏡との位置合わせ作業として、反射鏡（実際には反射鏡の保持具）と紫外線ランプ（実際には紫外線ランプの保持具）との相対的な位置関係を規制する専用の治具を作製し、組み立て作業時、紫外線ランプや反射鏡の交換作業時、又は、紫外線ランプや反射鏡の清掃時において、その治具を使用して位置決めした状態で各部を固定する、という作業を行う場合が多かった。
【先行技術文献】
【特許文献】
【０００３】
【特許文献１】特開２００５−８１７３８号公報
【発明の概要】
【発明が解決しようとする課題】
【０００４】
従って、反射鏡の上端縁及び下端縁では、上記保持具で反射鏡の反射面が覆われることになり、その覆われた部分が反射鏡として寄与しないことになる。
これによって反射鏡による光の取り出し効率が悪化するが、その悪化の度合いが無視し得ない程度のものであることがわかってきた。
又、上記保持具を反射鏡の裏面全体を覆うように配置すると、光源から放射される赤外線や一部波長域の可視光により、反射鏡に熱が蓄積され、反射鏡が熱変形や劣化を起こす虞がある。これを回避するためには、反射鏡の保持具に空冷孔を設けたり、反射鏡の保持具の内部に冷却流体を流したり、あるいは、反射鏡の保持具に冷却フィンを設ける等の対策が必要となり、反射鏡の保持具に余分な加工や余分な部品の付加が必要となってしまう。
【０００５】
更に、光源と反射鏡の位置合わせ作業の観点では、上記従来構成では、光照射装置の組み立て作業時、紫外線ランプや反射鏡の交換作業時、又は、紫外線ランプや反射鏡の清掃時における位置調整作業が繁雑な作業となってしまい、作業効率を低下させていた。
本発明は、かかる実情に鑑みてなされたものであって、その目的は、光照射装置の反射鏡による光の取り出し効率を可及的に改善すると共に、反射鏡と光源との位置合わせ作業の作業性を可及的に改善する点にある。
【課題を解決するための手段】
【０００６】
本出願の第１の発明は、直線状に延びる管形状の光源と、前記光源が周囲に放射した光を反射する反射鏡と、反射鏡を支持する反射鏡支持部材と、前記光源を支持する光源支持部材とが備えられた光照射装置において、前記光源支持部材が、前記反射鏡支持部材に支持され、前記反射鏡支持部材は、前記反射鏡を、前記光源の長手方向の少なくとも両端部を含む、前記長手方向で互いに離間した複数箇所で支持するように複数個配置されている。
【０００７】
すなわち、反射鏡支持部材は、光源の長手方向において、少なくとも両端部を含む、前記長手方向で互いに離間した複数箇所で支持するように配置されているので、反射鏡支持部材間の領域では、反射鏡支持部材が反射鏡の反射面を覆い隠してしまうことがない。
これにより、反射鏡支持部材が反射鏡の反射面を覆ってしまう面積を可及的に小さくすることができるため、反射鏡による反射光の取り出し効率を可及的に改善できる。
又、反射鏡支持部材間の領域では、反射鏡の裏面からの放熱を妨げず、反射鏡の熱を効率良く逃がすことができる。
更に、反射鏡を支持する反射鏡支持部材を、反射鏡と光源との位置決めのための基準として使用することにもなり、反射鏡支持部材に対して、光源を支持する光源支持部材を位置決め支持させることで、反射鏡支持部材に対して光源が位置決めされ、ひいては、光源と反射鏡との相対的な位置関係が位置決めされることになる。
【０００８】
又、本出願の第２の発明は、上記第１の発明の構成に加えて、前記反射鏡支持部材は、前記反射鏡を、前記光源の長手方向の両端部夫々において支持するように一対に備えられている。
これにより、反射鏡支持部材が反射鏡の反射面を覆ってしまう面積をさらに小さくすることができるため、反射鏡による反射光の取り出し効率を更に改善できる。
【０００９】
又、本出願の第３の発明は、上記第１又は第２の発明の構成に加えて、前記反射鏡は、前記光源の周方向の途中箇所で複数に分割されて構成され、前記反射鏡支持部材の夫々は、分割された複数の反射鏡の端部を一括して支持するように構成されている。
すなわち、光源の出射光を反射する反射鏡は、単一の鏡として構成するのではなく、例えば、冷却風の通路を形成する等のために、複数に分割形成する場合が多い。
反射鏡をこのように分割形成する場合でも、反射鏡支持部材の夫々が分割された複数の反射鏡の端部を一括して支持するので、反射鏡の支持構成を簡素化できる。
【００１０】
又、本出願の第４の発明は、上記第１〜第３のいずれかの発明の構成に加えて、前記光源は、長手方向の両端部の夫々に電極が備えられ、前記光源支持部材は、前記電極の夫々を支持するように一対に備えられ、一対の前記光源支持部材の夫々は、前記光源の中心に対して長手方向の同じ側に位置する前記反射鏡支持部材に位置決め支持されている。
すなわち、光源の構造として、管形状が直線状の光源では、一対の電極を光源の長手方向両端部に振り分けて備える場合が多い。
光源における電極配置がこのように構成されている場合において、一対の反射鏡支持部材と光源の一対の電極とは、光源の中心に対して同じ側に位置するもの同士が近い位置に存在することになる。
従って、光源支持部材に光源の電極を支持させると共に、その光源支持部材を、光源の中心に対して長手方向の同じ側に位置する反射鏡支持部材に位置決めすることで、光源の支持と光源の反射鏡支持部材に対する位置決めとを合理的に行わせることができる。
【００１１】
又、本出願の第５の発明は、上記第１〜第４のいずれかの発明の構成に加えて、前記反射鏡支持部材は、設定方向の各位置で同一断面形状を有する部材として構成されている。
すなわち、反射鏡支持部材をこのような形状とすることで、反射鏡支持部材を押出材として作製することが可能となる。
【００１２】
又、本出願の第６の発明は、上記第１〜第５のいずれかの発明の構成に加えて、前記反射鏡は、紫外線を反射し、少なくとも赤外線及び一部の波長域の可視光とを透過する強化ガラスで構成されている。
これにより、反射鏡の機械的強度が高まるため、反射鏡支持部材の支持面積をさらに小さくすることができ、反射鏡による反射光の取り出し効率を改善する点で、好ましい構成である。
【００１３】
又、本出願の第７の発明は、上記第１〜第６のいずれかの発明の構成に加えて、前記反射鏡支持部材は、回転不能に固定設置されている。
すなわち、反射鏡支持部材は、回転せず、固定されている。
【００１４】
又、本出願の第８の発明は、上記第１〜第７のいずれかの発明の構成に加えて、前記光源が、紫外線ランプである。
すなわち、本発明の光照射装置の光源には、紫外線ランプを用いることができる。
【００１５】
又、本出願の第９の発明は、上記第１〜第７のいずれかの発明の構成に加えて、前記光源が、可視光ランプである。
すなわち、本発明の光源装置の光源には、可視光ランプを用いることができる。
【発明の効果】
【００１６】
上記第１の発明によれば、反射鏡支持部材間の領域では、反射鏡の反射面を覆い隠してしまうことがないので、反射鏡支持部材が反射鏡の反射面を覆ってしまう面積を可及的に小さくすることができ、もって、光照射装置の反射鏡による光の取り出し効率を可及的に改善できるものとなった。
又、反射鏡支持部材間の領域では、反射鏡の裏面からの放熱を妨げず、反射鏡の熱を効率良く逃がすことができるので、反射鏡が熱変形や劣化を起こしてしまうのを抑制でき、反射鏡支持部材に空冷孔を設けたり、反射鏡支持部材の内部に冷却流体を流して冷却したり、反射鏡支持部材に冷却フィンを設けるなどの余分な冷却構成を極力不要とすることができる。
更に、反射鏡支持部材を位置決め基準として、この反射鏡支持部材に対して、反射鏡と光源支持部材とを位置決め支持させることで、簡単な組み立て作業で反射鏡と紫外線ランプとの相対的な位置決めを精度良く行えるものとなり、光照射装置の組み立て作業性を可及的に改善することができる。
【００１７】
又、上記第２の発明によれば、反射鏡支持部材は、反射鏡を、前記光源の長手方向の両端部夫々において支持するように一対に備える構成とすることにより、反射鏡支持部材が反射鏡の反射面を覆ってしまう面積をさらに小さくすることができるため、反射鏡による反射光の取り出し効率を更に改善できる。
又、上記第３の発明によれば、反射鏡を分割形成する場合でも、反射鏡支持部材によって、反射鏡の支持と位置決めとを簡素な構成で実現できる。
又、上記第４の発明によれば、長手方向の両端部に一対の電極を振り分けて備える光源を使用することで、光源の支持と光源の反射鏡支持部材に対する位置決めとを合理的に行わせることができ、装置構成の簡素化を図ることができる。
又、上記第５の発明によれば、反射鏡支持部材を押出材として作製することが可能となるので、反射鏡を位置決め支持するための構成等を精度良く簡単に作り込むことができる。
【００１８】
又、上記第６の発明によれば、反射鏡を、紫外線を反射し、少なくとも赤外線や一部波長域の可視光を透過する強化ガラスとすることにより、反射鏡の機械的強度が高まるため、反射鏡支持部材の支持面積をさらに小さくすることができ、反射鏡による反射光の取り出し効率を更に改善できる。
又、上記第７の発明によれば、反射鏡支持部材は、回転せず、固定されているため、反射鏡の機械的強度はそれほど必要なく、反射鏡にアルミ合金などの金属板を使用することも可能となる。
又、上記第８の発明によれば、紫外線ランプを光源とする光照射装置において、反射鏡による光の取り出し効率を可及的に改善すること等が実現できる。
又、上記第９の発明によれば、可視光ランプを光源とする光照射装置において、反射鏡による光の取り出し効率を可及的に改善すること等が実現できる。
【図面の簡単な説明】
【００１９】
【図１】本発明の実施の形態にかかる紫外線照射装置の内部構成を正面視で示す図
【図２】本発明の実施の形態にかかる紫外線照射装置の内部構成を側面視で示す図
【図３】本発明の実施の形態にかかる反射鏡の支持構成を示す斜視図
【図４】本発明の実施の形態にかかる反射鏡の収納状態を示す斜視図
【図５】本発明の実施の形態にかかるランプユニットの斜視図
【発明を実施するための形態】
【００２０】
以下、本発明の光照射装置の実施の形態を図面に基づいて説明する。
本実施の形態では、光源として紫外線ランプを使用する光照射装置を例示して説明し、説明の便宜上、以下において、光照射装置を紫外線照射装置と称する。
本実施の形態の紫外線照射装置ＵＲは、業務用のインクジェットプリント装置のプリントヘッドに取り付けられて使用されるものであり、プリントヘッドを走査して画像を形成する際に、そのプリントヘッドと共に移動して、形成した画像のＵＶインクに紫外線を照射させることにより瞬時に硬化させ、乾燥させる。
【００２１】
紫外線照射装置ＵＲは、装置筐体１の内部構造を図示する図１に示すように、装置筐体１内に備えられる、送風ユニット２、ランプユニット３、シャッタユニット４、及び、排気ユニット５を主要部として構成されている。これらのユニットは、ユニット同士が連結されているか、あるいは、図示を省略する固定部材によって装置筐体１内に固定されている。尚、図１においては、内部構成を示すために部品の一部を適宜に切り欠いた状態で示している。
装置筐体１は、直方体形状に形成されており、説明の便宜上、図１が正面視で図示されているものとして、天板２１、底板２２、右側板２３、左側板２４、正面側板２５（図２参照）及び裏面側板２６（図２参照）を備えて構成されている。
【００２２】
送風ユニット２は、二重反転式ファンを備えて構成され、吸気側が装置筐体１の天板２１に形成された吸気口に近接して配置されている。
送風ユニット２は、二重反転式ファンの回転によって、装置筐体１の外部の空気を吸引し、装置筐体１の内部において下方側に向けて送風する。
排気ユニット５は、上下方向の通気経路を構成する排気用のダクトとして形成されており、装置筐体１の天板２１において吸気口と隣接して配置されている排気口の直下に位置し、装置筐体１内において送風ユニット２に隣接して配置されている。
排気ユニット５の最上部には、短冊状の金属板を正面視（図１参照）でくの字状に配置した遮光部材５ａが、横方向に複数個並べて配置され、冷却風の通風を許容すると共に、ランプユニット３から漏れる紫外線が装置筐体１の外部に漏れ出るのを極力抑制している。
【００２３】
ランプユニット３は、図１及び図２に示すように、紫外線ランプ６と、一対の反射鏡７ａ，７ｂと、その反射鏡７ａ，７ｂを夫々位置決め支持する一対の反射鏡支持部材８ａ，８ｂとが主要部として備えられ、これらが枠体３ａに囲まれる状態で配置されている。
尚、図２（ａ）は、左側板２４を外した状態の紫外線照射装置ＵＲを左側板２４側から見た状態を示しており、図２（ｂ）は、図２（ａ）と同一方向視で、装置筐体１の幅方向中央付近での断面図を示している。図２（ｂ）では、図面を見易くするために、正面側板２５及び裏面側板２６等の細部においては断面を示す斜線の表記を適宜に省略している。
【００２４】
紫外線ランプ６は、図１において破線で示すように、直線状に延びる管形状を有しており、紫外線発光に寄与する部分が円筒形状で、全体として略棒状の外形形状となっている。紫外線ランプ６の長手方向両端部の夫々には、放電用の高電圧を印加するための一対の電極６ａ，６ｂが振り分けて配置されている。
本実施の形態では、上述のように、紫外線照射装置ＵＲをインクジェットプリント装置のプリントヘッドに取り付ける関係で、装置構成の小型化が図られており、紫外線ランプ６も、発光長が２００ｍｍ以下の小型のものが使用されている。
【００２５】
反射鏡７ａ，７ｂは、反射鏡７ａ，７ｂと反射鏡支持部材８ａ，８ｂとを組み付けた状態を図示する図３に示すように、紫外線ランプ６の長手方向視（図３において矢印Ａで示す方向視）で、楕円の一部をなす弧状の断面形状を有するように板材を湾曲させて形成し、紫外線ランプ６の周方向に沿わせて配置している。反射鏡７ａ，７ｂをこのような形状及び配置形態とすることで、紫外線ランプ６が周囲に放射した紫外線を反射して、装置筐体１の底板２２側に向けて集める。
反射鏡７ａ，７ｂの材質は、紫外線を反射し、少なくとも赤外線及び一部の波長域の可視光とを透過する強化ガラスを使用しているが、本実施の形態の反射鏡支持部材８ａ，８ｂは、回転不能に固定設置されているので、反射鏡７ａ，７ｂにそれほどの機械的強度は要求されず、アルミ合金等の金属板で反射鏡７ａ，７ｂを構成しても良い。
反射鏡７ａ，７ｂを、紫外線ランプ６の周方向の途中箇所で複数に分割（本実施形態では２分割）しているのは、一対の反射鏡７ａ，７ｂ間の空隙を冷却風の通路とするためである。
反射鏡支持部材８ａ，８ｂは、紫外線ランプ６の長手方向の少なくとも両端部を含む、前記長手方向で互いに離間した複数箇所で支持するように複数個配置されている。
より具体的には、紫外線ランプ６の長手方向に並ぶ状態で一対に備えられて、紫外線ランプ６の両端部を支持している。一対の反射鏡支持部材８ａ，８ｂは、同一形状であり、紫外線ランプ６の長手方向において同一断面形状を有する押出材として形成されている。
反射鏡支持部材８ａ，８ｂは、反射鏡７ａ，７ｂの形状と対応して、紫外線ランプ６の長手方向視でおおまかには楕円の一部（弧）をなす形状としている。
【００２６】
反射鏡支持部材８ａ，８ｂにおける弧の両端部には、紫外線ランプ６の長手方向視で鉤状に形成されて、反射鏡７ａ，７ｂの下端位置を支持する下端支持部８１が形成され、反射鏡支持部材８ａ，８ｂにおける弧の中央部には、紫外線ランプ６の長手方向視において、鉤状部分を背中合わせに一体化した形状を有する上端支持部８２が形成されている。
下端支持部８１及び上端支持部８２によって、２分割された反射鏡７ａ，７ｂの端部を一括して支持している。
図３に示すように、反射鏡７ａ，７ｂ夫々の周方向端部を下端支持部８１と上端支持部８２とに嵌め込む状態で、反射鏡７ａ，７ｂにおける紫外線ランプ６の長手方向両端部を反射鏡支持部材８ａ，８ｂに夫々支持させた状態では、反射鏡７ａ，７ｂは、がたつきがない状態で反射鏡支持部材８ａ，８ｂに支持され、反射鏡７ａ，７ｂは反射鏡支持部材８ａ，８ｂに対して位置決めされる。
更に、反射鏡支持部材８ａ，８ｂには、上端支持部８２付近において、反射鏡支持部材８ａ，８ｂを、ランプユニット３における他の構成部材（具体的には、枠体３ａ及び後述の光源支持部材９ａ，９ｂ）と連結するためのネジ孔８３が一対に形成されている。
【００２７】
反射鏡７ａ，７ｂと反射鏡支持部材８ａ，８ｂとの組品は、図４及び図５に示すように、２点鎖線で示す枠体３ａ内に配置される。
枠体３ａは、金属製の板材を曲げ加工することによって箱状に形成され、紫外線が出射する下方側の面が開放していると共に、その開放面と反対側の面に開口３１が形成されている。この開口３１は、一対の反射鏡７ａ，７ｂ間の空隙から上昇する冷却風を排気ユニット５へ逃がすためのものである。
略箱状の枠体３ａにおける、紫外線ランプ６の長手方向（図４及び図５において矢印Ａにて示す方向）端部の側面３２，３３は、それらの内面側において、反射鏡支持部材８ａ，８ｂにおける紫外線ランプ６の長手方向の両端面と接しており、ネジ孔８３と対応する位置に貫通孔３４が形成されている。
【００２８】
反射鏡支持部材８ａ，８ｂには、図５に示すように、枠体３ａの側面３２，３３を挟んだ状態で光源支持部材９ａ，９ｂが固定される。
光源支持部材９ａ，９ｂは、紫外線ランプ６の一対の電極６ａ，６ｂの夫々を支持するように、紫外線ランプ６の長手方向に振り分ける形で一対に備えられており、同一形状のものが、紫外線ランプ６の中心に対して対称姿勢で配置されている。
一対の光源支持部材９ａ，９ｂの夫々は、紫外線ランプ６の中心に対して長手方向の同じ側に位置する反射鏡支持部材８ａ，８ｂに位置決め支持されている。
各光源支持部材９ａ，９ｂは、板材をＬ字状に屈曲形成した基部９１に端子９２がネジ止めされている。端子９２は、夫々コの字に屈曲形成した板バネを２段に重ねて形成しており、内側の板バネ９２ａは、紫外線ランプ６の電極６ａ，６ｂの形状に適合した円弧状部分９２ｃを有し、外側の板バネ９２ｂは、内側の板バネ９２ａを電極６ａ，６ｂに向けて押さえ込んでいる。内側の板バネ９２ａの円弧状部分９２ｃにて紫外線ランプ６の円柱状の電極６ａ，６ｂを挟み込むことで、光源支持部材９ａ，９ｂが紫外線ランプ６を支持している。
金属製の端子９２には図示を省略する電気配線が接続され、その電気配線と端子９２によって、紫外線ランプ６に高電圧を印加する電源と、一対の電極６ａ，６ｂとが接続されている。
基部９１の縦壁面９１ａには、光源支持部材９ａ，９ｂを反射鏡支持部材８ａ，８ｂのネジ孔８３に対して、２本のネジ９３によってネジ止めするための貫通孔が一対に形成されている。この貫通孔の内径とネジ９３の外径とは、両者の隙間が極力小さくなるように設定されている。
【００２９】
従って、枠体３ａの側面３２，３３を挟んだ状態で、光源支持部材９ａ，９ｂ側から、ネジ９３を反射鏡支持部材８ａ，８ｂのネジ孔８３にネジ込み、光源支持部材９ａ，９ｂ、枠体３ａ及び反射鏡支持部材８ａ，８ｂを固定するという作業だけで、光源支持部材９ａ，９ｂが反射鏡支持部材８ａ，８ｂに対して位置決め支持されることになり、格別の位置調整作業を要しない。
光源支持部材９ａ，９ｂに紫外線ランプ６を装着した状態では、光源支持部材９ａ，９ｂの端子９２における板バネ９２ａが、所定の位置（板バネ９２ａの円弧状部分９２ｃの位置）で紫外線ランプ６の電極６ａ，６ｂを支持するので、紫外線ランプ６が反射鏡支持部材８ａ，８ｂに対して位置決めされる。
上述のように、反射鏡７ａ，７ｂは反射鏡支持部材８ａ，８ｂに対して位置決めされているので、上記のように紫外線ランプ６を装着することによって、光源支持部材９ａ，９ｂ及び反射鏡支持部材８ａ，８ｂを介して、紫外線ランプ６と反射鏡７ａ，７ｂとの相対位置が位置決めされる。
【００３０】
又、紫外線ランプ６における電極６ａ，６ｂ付近は、枠体３ａの側面３２，３３を貫通して、突出している。
これにより、一方の電極６ａは、送風ユニット２の直下に位置する位置関係となるが、光源支持部材９ａの基部９１における横壁面９１ｂが冷却風を遮って、紫外線ランプ６の電極６ａ付近が過度に冷却されてしまうのを防止している。
【００３１】
シャッタユニット４は、紫外線ランプ６の出射紫外線をシャッタユニット４の直下に隣接して位置する紫外線出射窓１０から装置筐体１の外部へ出射するか否かを切り換え操作するためのユニットである。
シャッタユニット４には、長方形の金属製の板材を浅い角度で３段に同側に屈曲させた形状のシャッタ４ａと、そのシャッタ４ａを開閉駆動するモータ４ｂとが主要部として備えられている。
シャッタ４ａは、平面視で略コの字状に作製された枠体４ｃ内の空間を可動範囲として配置されている。
【００３２】
枠体４ｃは、紫外線が装置筐体１内の他の部分へ漏れ出るのを抑制する遮光板として備えられており、枠体４ｃにおける、紫外線ランプ６の出射紫外線が通過する空間に面する側の各面は、鏡面仕上げが施されて、紫外線ランプ６から出射した紫外線の反射損失を抑制している。シャッタ４ａにおける紫外線の通過空間側の面も、上記と同様に鏡面仕上げが施されている。
【００３３】
モータ４ｂは、モータ保持板４６に支持されて、シャッタ４ａと枠体４ｃとで囲まれる空間の外側の送風ユニット２の下方側位置に配置されている。モータ４ｂの設置位置の上部には、モータ保持板４６が延出し、直上に位置する紫外線ランプ６の電極６ａ付近から漏れる紫外線で、モータ４ｂや関連部品の寿命が短くなってしまうのを防いでいる。
減速機を通したモータ４ｂの回転軸４１は、枠体４ｃを貫通して、シャッタ４ａの端部に取り付けられた固定部材４２に取り付けられている。
更に、固定部材４２の存在側と反対側の端部に取り付けられた固定部材４３にも回転軸４３ａが備えられ、回転軸４３ａは、枠体４ｃの縦壁を貫通して、回転軸保持板４４に固定された軸受け４５により回転自在に支持されている。
回転軸４１と回転軸４３ａとは共通の回転軸芯上に配置され、固定部材４２と固定部材４３とは起立姿勢のシャッタ４ａの下端付近に取り付けられて、モータ４ｂの駆動によってシャッタ４ａを遥動駆動する構成としている。
【００３４】
モータ４ｂの回転駆動によって、シャッタ４ａは、図２（ｂ）において実線で示す起立姿勢と、２点鎖線で示す略水平姿勢とに切り換え駆動される。
実線で示す起立姿勢が上述のようにシャッタ４ａの開き姿勢であり、シャッタ４ａは、この開き姿勢において、紫外線ランプ６の出射紫外線がシャッタユニット４の直下に位置する紫外線出射窓１０から装置筐体１の外部へ出射されるのを許容する。
一方、図２（ｂ）において２点鎖線で示す略水平姿勢がシャッタ４ａの閉じ姿勢であり、この閉じ姿勢では、シャッタ４ａが紫外線ランプ６側に向けて凸となる姿勢になっている。シャッタ４ａは、その閉じ姿勢において、紫外線ランプ６から出射した紫外線を遮って、紫外線出射窓１０から装置筐体１の外部へ紫外線が出射されるのを阻止する。
紫外線出射窓１０は、装置筐体１の１側面をなす底板２２に矩形開口として形成されている。紫外線出射窓１０には、紫外線を透過させる石英製の透光板１１が、紫外線出射窓１０を覆うように取り付けられている。
【００３５】
〔別実施形態〕
以下、本発明の別実施形態を列記する。
（１）上記実施形態では、反射鏡支持部材８ａ，８ｂを反射鏡７ａ，７ｂの長手方向両端に一対設ける構成としているが、必要に応じて反射鏡７ａ，７ｂの長手方向の中央部に反射鏡支持部材を追加してもよいし、この反射鏡支持部材の追加位置や追加数は、適宜に変更可能であり、夫々の反射鏡支持部材が離間しておれば良い。
（２）上記実施の形態では、反射鏡７ａ，７ｂを２分割式に構成して冷却風の通路を形成する構成としているが、単一部材として構成しても良いし、必要に応じて３個以上に分割して構成しても良い。
【００３６】
（３）上記実施の形態では、反射鏡支持部材８ａ，８ｂに対する光源支持部材９ａ，９ｂの位置決め構成として、光源支持部材９ａ，９ｂを反射鏡支持部材８ａ，８ｂに対して固定するネジ９３と縦壁面９１ａに形成した貫通孔との隙間を極力小さくして、位置決め精度を出す構成としているが、この位置決めのための構成は適宜に変更可能であり、例えば、ネジ９３及びネジ孔８３とは別に、両者を貫通する位置決めピン等を備えて位置決めを行うように構成しても良い。
（４）上記実施の形態では、光照射装置ＵＲの光源を紫外線ランプ６としているが、これに限るものではなく、光照射装置ＵＲの光源として可視光ランプを使用しても良い。
更には、可視光ランプ以外の様々な光源に置き換えることもできる。
【符号の説明】
【００３７】
６          光源
６ａ，６ｂ  電極
７ａ，７ｂ  反射鏡
８ａ，８ｂ  反射鏡支持部材
９ａ，９ｂ  光源支持部材
【図１】
2013008666.tif 000003
【図２】
2013008666.tif 000004
【図３】
2013008666.tif 000005
【図４】
2013008666.tif 000006
【図５】
2013008666.tif 000007